(57)【要約】【課題】エレベータのかご室内の意匠性を損なうことなく、作業員の安全性を確保しつつ点検作業の作業時間を短縮させることができるエレベータの停電灯装置を提供することを課題とする。【解決手段】エレベータの停電灯装置は、エレベータのかご室の操作盤２６に形成された通話用の音抜穴４０の裏面側の空間４２に、音抜穴４０からかご室内へ突出可能なように設けられた点灯部４８と、停電時に点灯部４８を音抜孔４０から突出させて点灯部４８を点灯させる突出・点灯手段６３と、備える。【選択図】図３
2015013727.tif 000002
【特許請求の範囲】
【請求項１】
エレベータのかご室の操作盤に形成された通話用の音抜穴の裏面側の空間に、前記音抜穴からかご室内へ突出可能なように設けられた点灯部と、
停電時に前記点灯部を前記音抜孔から突出させて前記点灯部を点灯させる突出・点灯手段と、
を備えたことを特徴とするエレベータの停電灯装置。
【請求項２】
前記突出・点灯手段は、
前記点灯部を前記音抜穴に向けて付勢する点灯部付勢手段と、
前記点灯部を吸着して前記空間に保持する電磁石と、
を備え、停電時には前記電磁石への通電が解除されることを特徴とする請求項１記載のエレベータの停電灯装置。
【請求項３】
前記突出・点灯手段は、
重力で前記点灯部を前記音抜穴に向けて案内する案内手段と、
前記点灯部を吸着して前記空間に保持する電磁石と、
を備え、停電時には前記電磁石への通電が解除されることを特徴とする請求項１記載のエレベータの停電灯装置。
【請求項４】
エレベータのかご室の操作盤に設けられたスイッチボックス扉の裏面側の空間に、前記スイッチボックス扉が開いたときにかご室内へ突出可能なように設けられた点灯部と、
停電時に、前記スイッチボックス扉を開くとともに、前記点灯部を前記かご室内へ突出させて前記点灯部を点灯させる突出・点灯手段と、
を備えたことを特徴とするエレベータの停電灯装置。
【請求項５】
前記突出・点灯手段は、
前記点灯部を前記かご室内に向けて付勢する点灯部付勢手段と、
前記点灯部を吸着して前記空間に保持する電磁石と、
前記スイッチボックス扉を開く方向に付勢する扉付勢手段と、
前記スイッチボックス扉を吸着して保持する扉用電磁石と、
を備え、停電時には前記電磁石および前記扉用電磁石への通電が解除されることを特徴とする請求項４記載のエレベータの停電灯装置。
【発明の詳細な説明】
【技術分野】
【０００１】
本発明の実施形態は、停電時にエレベータのかご室の操作盤およびその近傍を照明するエレベータの停電灯装置に関する。
【背景技術】
【０００２】
一般に、エレベータのかご室内には、停電時にかご室内の操作盤およびその近傍を照明する停電灯（点灯部）が設けられている。停電灯による照度は法令で規定されており、かご室の操作盤近傍の床面の照度を１ルクス以上に確保する必要がある。このような停電灯としては、通常時（エレベータが正常に動作している時）に用いられる照明灯を停電時にも兼用する兼用タイプのものと、通常時の照明灯とは別個に停電灯が設けられた専用タイプのものとがある。
【先行技術文献】
【特許文献】
【０００３】
【特許文献１】特開2008-50153号公報
【発明の概要】
【発明が解決しようとする課題】
【０００４】
しかし、かご室内に通常の照明灯とは別個に停電灯を取り付ける専用タイプの場合、通常時にエレベータの利用者（乗員）に停電灯が見えてしまい、意匠性の観点で好ましくない。
【０００５】
この対策として、利用者から見えない位置に停電灯を取り付けると、停電時の床面の照度を十分に確保することができないなどの弊害が生じる。
【０００６】
また、この対策として、専用タイプの停電灯をかごの天井の一部に付加すると、設計費、製造費のコストアップの要因となることに加え、カバーの分割ラインが見えることになり意匠性の観点で問題が発生することも考えられる。更に、停電灯の点検時の作業はかご上からの作業となるので、作業のためにかご上へ移動する必要があり、点検作業の作業性が悪く、作業時間がかかり過ぎるという問題も生じる。
【０００７】
一方、兼用タイプの場合、停電時、通常の照明灯が補助電源によって通常時よりも低い照度で点灯するため、特に間接照明の場合では床面の照度を十分に確保することができないという問題が生じる。
【０００８】
本発明は上記課題に鑑みてなされたものであり、エレベータのかご室内の意匠性を損なうことなく、作業員の安全性を確保しつつ点検作業の作業時間を短縮させることができるエレベータの停電灯装置を提供することを課題とする。
【課題を解決するための手段】
【０００９】
実施形態に係るエレベータの停電灯装置は、エレベータのかご室の操作盤に形成された通話用の音抜穴の裏面側の空間に、音抜穴からかご室内へ突出可能なように設けられた点灯部と、停電時に点灯部を音抜孔から突出させて点灯部を点灯させる突出・点灯手段と、備える。
【図面の簡単な説明】
【００１０】
【図１】第１実施形態で説明するエレベータの乗りかごで、かご室内から前方を見た外観を説明する外観図である。
【図２】第１実施形態で、かご室の操作盤に形成された音抜穴を示す正面図である。
【図３】第１実施形態で、点灯部が収納位置に配置されている状態を示す側面断面図である。
【図４】第１実施形態で、点灯部が収納位置に配置されている状態を示す平面断面図である。
【図５】第１実施形態で、点灯部が音抜穴から突き出た状態を示す側面断面図である。
【図６】第１実施形態で、点灯部が音抜穴から突き出た状態を示す平面断面図である。
【図７】第２実施形態で、点灯部が収納位置に配置されている状態を示す側面断面図である。
【図８】第２実施形態で、点灯部が音抜穴から突き出た状態を示す側面断面図である。
【図９】第３実施形態で、点灯部が収納位置に配置されている状態を示す側面断面図である。
【図１０】第３実施形態で、点灯部が音抜穴から突き出た状態を示す側面断面図である。
【図１１】第４実施形態で、裏面側にエレベータの停電灯装置が配置されているスイッチボックス扉を示す正面図である。
【図１２】第４実施形態で、点灯部が収納位置に配置されている状態を示す側面断面図である。
【図１３】第４実施形態で、点灯部が収納位置に配置されている状態を示す平面断面図である。
【図１４】第４実施形態で、点灯部がかご室内へ突き出た状態を示す平面断面図である。
【発明を実施するための形態】
【００１１】
以下、添付図面を参照して、実施形態のエレベータの停電灯装置について説明する。なお、第２実施形態以下では、既に説明したものと同様のものには同じ符号を付してその説明を省略する。
【００１２】
［第１実施形態］
まず、第１実施形態について説明する。図１は、本実施形態で説明するエレベータの乗りかごで、かご室内から前方を見た外観を説明する外観図である。図２は、かご室から操作する操作盤に形成された音抜穴を示す正面図である。図３は、かご室の操作盤の裏面側に配置されたエレベータの停電灯装置で、点灯部が収納位置に配置されている状態を示す側面断面図である。図４は、かご室の操作盤の裏面側に配置されたエレベータの停電灯装置で、点灯部が収納位置に配置されている状態を示す平面断面図である。図５は、かご室の操作盤の裏面側に配置されたエレベータの停電灯装置で、点灯部が音抜穴から突き出た状態を示す側面断面図である。図６は、かご室の操作盤の裏面側に配置されたエレベータの停電灯装置で、点灯部が音抜穴から突き出た状態を示す平面断面図である。
【００１３】
本実施形態で説明するエレベータの乗りかごのかご室１０は、床部１２と、天井部１４と、天井照明１６と、複数の側板部１８とで形成されている。かご室１０の前面には出入口２０が形成されている。出入口２０には例えば両開き式のドア２２ａ、２２ｂが開閉動作可能に設けられている。出入口２０の上部には幕板２４が設けられている。
【００１４】
出入口２０の左右一方側の側板部１８には操作盤２６が配置されている。この操作盤２６には、行先階登録用のボタン３０ａ、ドア開閉用のボタン３０ｂ、非常時に操作するインターホン３２の操作用のボタン３０ｃ等が配置されている。また、操作盤２６には、保守点検時に必要なスイッチが内蔵されているスイッチボックス３４、スイッチボックス３４の正面側を開閉可能に覆うスイッチボックス扉３６、エレベータの運行状況を表示する表示灯３８などが配置されている。そして、操作盤２６には、インターホン３２の通話用の音抜穴４０が形成されている。音抜穴４０はインターホン３２と通話するために操作盤２６に形成された開口である。
【００１５】
また、操作盤２６の音抜穴４０の裏面側の空間４２にはエレベータの停電灯装置４６（以下、単に停電灯装置４６という）が配置されている。停電灯装置４６は、音抜穴４０からかご室内へ突出可能な点灯部４８を有する。点灯部４８は、導光板５０と、ＬＥＤ５２と、磁性を有するＬＥＤ収納ケース５４とで構成される。ＬＥＤ５２は停電時に電力が供給される補助電源（図示せず）に電気接続されている。導光板５０は、音抜穴４０から出没する照明用の凸部５０ｐと、凸部５０ｐの基端側（ＬＥＤ側）に連続して凸部５０ｐの延出方向に直交する方向に鍔状に広がっていてＬＥＤ収納ケース５４の内側に固定される被固定部５０ｑ（図４、図６参照）とを有する。凸部５０ｐは、ＬＥＤ収納ケース５４から突出している。
【００１６】
また、停電灯装置４６は、装置ケース５６と、装置ケース５６内に設けられ、点灯部４８を音抜穴４０に向けて付勢する圧縮コイルバネ５８ｓ（点灯部付勢手段５８）と、圧縮コイルバネ５８ｓを挿通させることで圧縮コイルバネ５８ｓの伸縮方向を設定している摺動用ガイド６０と、ＬＥＤ収納ケース５４に吸着力を及ぼす電磁石６２とを備えている。電磁石６２には通常運行電源によって通電されている。
【００１７】
摺動用ガイド６０は、基端側で装置ケース５６の内壁に取り付けられており、ＬＥＤ収納ケース５４を音抜穴４０に対して進退動させる方向に延びる棒状あるいはパイプ状の部材で構成される。また、ＬＥＤ収納ケース５４内には、基端部でＬＥＤ収納ケース５４の内壁に固定されている電磁石取付板６４が設けられており、電磁石取付板６４の先端部６４ｔ（音抜穴４０側の端部）に電磁石６２が固定されている。
【００１８】
主に、圧縮コイルバネ５８ｓ、摺動用ガイド６０および電磁石６２によって、停電灯装置４６の動作部が構成される。また、電磁石６２と、ＬＥＤ収納ケース５４と、摺動用ガイド６０と、圧縮コイルバネ５８ｓとによって、導光板５０の凸部５０ｐをかご室内へ突出させて点灯させる突出・点灯手段６３が形成されている。
【００１９】
（作用、効果）
以下、本実施形態の作用、効果について説明する。図３、図４に示すように、通常運転時では、エレベータを作動させる通常運行電源により電磁石６２に通電され、この結果、電磁石６２からの電磁力によってＬＥＤ収納ケース５４は電磁石６２に吸着されて保持され、導光板５０の凸部５０ｐは操作盤２６の裏面側の空間４２に収納されている。ここで、電磁石６２による電磁力は圧縮コイルバネ５８ｓの付勢力よりも充分に強い。
【００２０】
停電時には、電磁石６２への通電が遮断されるため、電磁石６２からの電磁力が発生しなくなり、ＬＥＤ収納ケース５４には電磁石６２への吸着力は作用しない。このため、図５、図６に示すように、圧縮コイルバネ５８ｓが伸びることによってＬＥＤ収納ケース５４が音抜穴４０の方向に向けて移動する。そして、凸部５０ｐが音抜穴４０からかご室内へ突出するとともに、ＬＥＤ収納ケース５４が操作盤２６の裏面側に当接することで、圧縮コイルバネ５８ｓの付勢によるＬＥＤ収納ケース５４の移動が停止する。また、ＬＥＤ収納ケース５４がこの位置に移動したときには、停電時に電力を供給する補助電源（図示せず）によって点灯部４８が通電されてＬＥＤ５２が発光し、導光板５０へ導光される。この結果、導光板５０の凸部５０ｐによって、操作盤２６の各種ボタン、近傍の床面、操作盤２６の上方に配置されている表示灯３８などが照らされる。
【００２１】
停電が解除されて通常運行電源からの電力供給が復帰すると、通常運行電源によって電磁石６２に通電され、電磁力が発生する。この状態で作業員などが凸部５０ｐを操作盤２６の裏面側の空間４２に向けて押し込むと、ＬＥＤ収納ケース５４が電磁石６２に近づき、電磁石６２の電磁力によってＬＥＤ収納ケース５４が電磁石６２に吸着され、ＬＥＤ収納ケース５４の収納状態が維持される。
【００２２】
以上説明したように、本実施形態では、操作盤２６の裏面側の空間４２に停電灯装置４６を設け、ＬＥＤ収納ケース５４を音抜穴４０から出没可能に保持している。そして、停電時には電磁石６２の電磁力が失われ、圧縮コイルバネ５８ｓの付勢力によってＬＥＤ収納ケース５４を音抜穴４０側に移動させ、導光板５０の凸部５０ｐが音抜穴４０から突出して周囲を照らす。これにより、意匠性を全く損なうことなく停電灯装置４６を配置して、停電時に十分な光で照明することができ、しかも、かご室内から停電灯装置４６の点検が可能となるので、点検作業のためにかご上に移動する必要はない。また、停電灯装置４６を操作盤２６の裏面側に収納しているので、停電灯装置４６のレイアウト設計を行う必要がない。
【００２３】
なお、図３〜図６から判るように、本実施形態では、摺動用ガイド６０および圧縮コイルバネ５８ｓが何れも４個設けられている例で説明したが、個数を特に限定するものではなく、この個数が増減しても本実施形態による効果が奏される。また、ＬＥＤ収納ケース５４の形状は特に限定するものではなく、圧縮コイルバネ５８ｓの付勢力および電磁石６２の電磁力によって進退可能とされている限り本実施形態に適用され得る。
【００２４】
また、停電灯装置４６の光源としてＬＥＤ５２を挙げて説明したが、ＬＥＤ５２に代えて白熱灯や有機ＥＬ素子を用いてもよい。
【００２５】
また、本実施形態では導光板５０の凸部５０ｐが音抜穴４０から突出し、更に収納位置に戻ることが可能な例で説明したが、音抜穴４０ではなく、凸部５０ｐの突出のための専用の開口を操作盤２６に形成し、この開口から凸部５０ｐを出没させる構成にしてもよい。
【００２６】
また、本実施形態では、停電解除後、ＬＥＤ収納ケース５４を収納位置に戻す際に、作業員などが凸部５０ｐを押し込むことでＬＥＤ収納ケース５４を電磁石６２に近づける作業を行う例で説明したが、電磁石６２の電磁力を上げて、作業員などが押し込み作業を行わなくても、電磁力によってＬＥＤ収納ケース５４が電磁石６２に引き寄せられて凸部５０ｐが音抜穴４０から空間４２へ引き込まれる形態にすることも可能である。
【００２７】
［第２実施形態］
次に、第２実施形態について説明する。図７は、かご室の操作盤の裏面側に配置されたエレベータの停電灯装置で、点灯部が収納位置に配置されている状態を示す側面断面図である。図８は、かご室の操作盤の裏面側に配置されたエレベータの停電灯装置で、点灯部が音抜穴から突き出た状態を示す側面断面図である。
【００２８】
本実施形態では、第１実施形態に比べ、圧縮コイルバネ５８ｓに代えてゴム体７８ｓを設けており、ＬＥＤ収納ケース５４に代えて、ゴム体７８ｓを引っ掛けて係止する引っ掛け部７２が形成されたＬＥＤ収納ケース７４を設けている。
【００２９】
本実施形態によっても第１実施形態と同様の効果が得られる。なお、図７、図８ではゴム体７８ｓがリング状である例を示したが、ＬＥＤ収納ケース７４を音抜穴４０に向けて付勢することができる限り、ゴム体７８ｓの形状、種類は特に限定せず、更には、ゴム体７８ｓに代わる弾性体を用いることも可能である。
【００３０】
［第３実施形態］
次に、第３実施形態について説明する。図９は、かご室の操作盤の裏面側に配置されたエレベータの停電灯装置で、点灯部が収納位置に配置されている状態を示す側面断面図である。図１０は、かご室の操作盤の裏面側に配置されたエレベータの停電灯装置で、点灯部が音抜穴から突き出た状態を示す側面断面図である。
【００３１】
本実施形態では、エレベータの停電灯装置８６（以下、単に停電灯装置８６という）は、第１実施形態に比べ、点灯部８８と、第１実施形態で説明した電磁石６２および電磁石取付板６４と、を備えている。
【００３２】
点灯部８８は、ＬＥＤ収納ケース９４と、第１実施形態で説明した導光板５０および複数のＬＥＤ５２とを備えている。
【００３３】
ＬＥＤ収納ケース９４は、第１実施形態で説明したＬＥＤ収納ケース５４に比べ、ケース下側を構成する部材として、磁性を有する板状のスライド部材９０ｓが設けられていることが異なる。スライド部材９０ｓの電磁石６２側（操作盤２６側とは反対側）は、折り曲げ加工されていて上方に延びる形状にされており、電磁石６２に面接触可能な形状となっている。
【００３４】
そして、停電灯装置８６は、スライド部材９０ｓをスライド移動可能に支えていて操作盤２６の音抜穴４０へ重力により案内する支持部材９０ｐを備えている。支持部材９０ｐは、音抜穴４０に近いほど下方位置となるように傾斜しており、電磁石６２の電磁力が作用しないときには点灯部８８が重力によって音抜穴４０側へ案内される構成になっている。
【００３５】
本実施形態では、電磁石６２と、スライド部材９０ｓを有するＬＥＤ収納ケース９４と、支持部材９０ｐとによって、停電時に導光板５０の凸部５０ｐをかご室内へ突出させて点灯させる突出・点灯手段９２が形成されている。そして、スライド部材９０ｓと支持部材９０ｐとで、点灯部８８を重力で音抜穴４０に向けて案内する案内手段９０が形成されている。
【００３６】
本実施形態では、停電時には電磁石６２に通電されず、この結果、点灯部８８およびスライド部材９０ｓの自重により、スライド部材９０ｓが下方へ、すなわち音抜穴４０に向けてスライド移動し、導光板５０の凸部５０ｐが音抜穴４０から突出し、周囲を照らす。
【００３７】
停電が解除されて通常運行電源からの電力供給が復帰すると、通常運行電源によって電磁石６２に電磁力が発生する。この状態で凸部５０ｐを作業員などが操作盤２６の裏面側の空間４２に向けて押し込むと、ＬＥＤ収納ケース９４が電磁石６２に近づき、電磁石６２の電磁力によってＬＥＤ収納ケース９４が電磁石６２に吸着され、ＬＥＤ収納ケース９４の収納状態が維持される。
【００３８】
本実施形態により、第１実施形態で得られる効果に加え、第１実施形態の圧縮コイルバネ５８ｓや第２実施形態のゴム体７８ｓなどの弾性体を設けない簡素な構成にでき、信頼性が向上するという効果も得られる。
【００３９】
［第４実施形態］
次に、第４実施形態について説明する。図１１は、操作盤に設けられたスイッチボックス扉を示す正面図である。図１２は、スイッチボックス扉の裏面側に配置されたエレベータの停電灯装置で、点灯部が収納位置に配置されている状態を示す側面断面図である。図１３は、スイッチボックス扉の裏面側に配置されたエレベータの停電灯装置で、点灯部が収納位置に配置されている状態を示す平面断面図である。図１４は、スイッチボックス扉の裏面側に配置されたエレベータの停電灯装置で、点灯部がかご室内に突き出た状態を示す平面断面図である。
【００４０】
本実施形態では、第１実施形態で説明したスイッチボックス３４と、スイッチボックス扉３６と同様のスイッチボックス扉１０６と、が設けられており、スイッチボックス扉１０６の裏面側の空間にエレベータの停電灯装置１１６（以下、単に停電灯装置１１６という）が配置されている。スイッチボックス扉１０６は磁性を有しており、また、スイッチボックス扉１０６の寸法は、スイッチボックス扉１０６が開いたときに凸部５０ｐがかご室内へ突出することができる寸法にされている。なお、スイッチボックス３４には、エレベータの点検用スイッチ１１４が複数設けられている。
【００４１】
また、本実施形態では、スイッチボックス扉１０６を操作盤２６にヒンジ結合している蝶番１１８ｈ（扉付勢手段１１８）は、バネ部材などの弾性部材によりスイッチボックス扉１０６を開く方向に常に付勢している。更に、本実施形態では、スイッチボックス扉１０６の開閉側の側部１０７（蝶番１１８ｈが設けられている側部とは反対側の側部）を電磁力で吸着して保持する扉用電磁石１２２が設けられている。この扉用電磁石１２２は、操作盤２６の裏面側に取り付けられたＬ字状部材１２４に固定されている。
【００４２】
本実施形態では、停電時には、扉用電磁石１２２への通電が停止することにより扉用電磁石１２２からの電磁力が発生しなくなる。この結果、蝶番１１８ｈの付勢力（復元力）によりスイッチボックス扉１０６が開く。また、第１実施形態と同様、電磁石６２への通電が停止してＬＥＤ収納ケース５４への吸着力がなくなり、圧縮コイルバネ５８ｓ（点灯部付勢手段５８）が伸び出すことで点灯部１２８が操作盤２６からかご室内へ出てくる。そして、スイッチボックス扉１０６が覆っていた開口１１０から導光板５０の凸部５０ｐが突出し、更に、ＬＥＤ収納ケース５４が操作盤２６の裏面側に当接することでＬＥＤ収納ケース５４の移動が停止する。また、停電時に電力を供給する補助電源（図示せず）によって点灯部１２８が通電されてＬＥＤ５２が発光し、導光板５０へ導光される。この結果、導光板５０の凸部５０ｐによって、操作盤２６の各種ボタン、近傍の床面、操作盤２６の上方に配置されている表示灯３８などが照らされる。
【００４３】
本実施形態では、このように、停電時に音抜穴ではなくスイッチボックス扉１０６から導光板５０の凸部５０ｐを突出させて周囲を照らすことができるので、第１実施形態で得られる効果に加え、凸部５０ｐの寸法の自由度を高める効果も得られる。
【００４４】
なお、本実施形態では、スイッチボックス３４の上側に停電灯装置１１６が配置されている例で説明したが、特にスイッチボックス３４の上側位置に限定するものではなく、スイッチボックス３４と干渉しない位置であれば配置位置は特に限定しない。
【００４５】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４６】
１０  かご室
２６  操作盤
４０  音抜穴
４２  空間
４６  エレベータの停電灯装置
４８  点灯部
５８  点灯部付勢手段
６２  電磁石
６３  突出・点灯手段
８６  エレベータの停電灯装置
８８  点灯部
９０  案内手段
９２  突出・点灯手段
１０６  スイッチボックス扉
１１８  扉付勢手段
１２２  扉用電磁石
【図１】
2015013727.tif 000003
【図２】
2015013727.tif 000004
【図３】
2015013727.tif 000005
【図４】
2015013727.tif 000006
【図５】
2015013727.tif 000007
【図６】
2015013727.tif 000008
【図７】
2015013727.tif 000009
【図８】
2015013727.tif 000010
【図９】
2015013727.tif 000011
【図１０】
2015013727.tif 000012
【図１１】
2015013727.tif 000013
【図１２】
2015013727.tif 000014
【図１３】
2015013727.tif 000015
【図１４】
2015013727.tif 000016
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
エレベータのかご室の操作盤に形成された通話用の音抜穴の裏面側の空間に、前記音抜穴からかご室内へ突出可能なように設けられた点灯部と、
停電時に前記点灯部を前記音抜孔から突出させて前記点灯部を点灯させる突出・点灯手段と、
を備えたことを特徴とするエレベータの停電灯装置。
【請求項２】
前記突出・点灯手段は、
前記点灯部を前記音抜穴に向けて付勢する点灯部付勢手段と、
前記点灯部を吸着して前記空間に保持する電磁石と、
を備え、停電時には前記電磁石への通電が解除されることを特徴とする請求項１記載のエレベータの停電灯装置。
【請求項３】
前記突出・点灯手段は、
重力で前記点灯部を前記音抜穴に向けて案内する案内手段と、
前記点灯部を吸着して前記空間に保持する電磁石と、
を備え、停電時には前記電磁石への通電が解除されることを特徴とする請求項１記載のエレベータの停電灯装置。